(57)【要約】      （修正有）【課題】繰り返し貼付することができ、美観装飾効果を有する布フック構造を提供する。【解決手段】布フック構造は、順に、布片層１と、補助片３と、キャリア４と、第３感圧接着剤層５と、弾性プラスチック片層６と、弾性樹脂接着剤層又は置換可能アクリル接着剤層７とが結合する。布片層１と補助片３とは、ともに貫通孔１０を有し、フック２が貫通孔を通過してキャリアに結合する。【選択図】図１
0003175252.tif 000002
【実用新案登録請求の範囲】
【請求項１】
布片層であり、１つ以上の貫通溝を有し、１つ以上のフックの本体の背面を通過させ、該布片層の１つ以上の前面が自由面であり、装飾模様又は装飾パターンを有し、該布片層の背面は、接合面であり、補助片と結合する布片層と、
１つ以上のフックであり、本体の前面にフックさせるフック部を有し、その本体は、適当な厚さにより布片層の貫通溝及び補助片を通過した後、その本体の背面がコロイドによりキャリアと粘着固定する１つ以上のフックと、
補助片であり、ＰＶＣ又はＰＥＴプラスチック片及びそれぞれ該プラスチック片の前面及び背面に塗布する第１感圧接着剤、第２感圧接着剤層を含み、該プラスチック片及び該プラスチック片の前面及び背面の第１、第２感圧接着剤層は、それぞれ前記１つ以上のフック２の背面の１つ以上の貫通溝を有し、該接着剤片の前面に塗布する第１感圧接着剤により布片層の接合面と結合し、該プラスチック片の背面に塗布する第２感圧接着剤層によりキャリアと結合する補助片と、
キャリアであり、その前面、背面のうちの一面又はその前面及び背面の両面が化学的に活発なプラスチック片を有し、該キャリアの前面は、補助片の背面に塗布する第２感圧接着剤層と結合し、該キャリアの背面は、更に、第３感圧接着剤層を塗布し、弾性プラスチック片層と結合するキャリアと、
キャリアの背面に塗布される第３感圧接着剤層と、
弾性プラスチック片層であり、その前面及びキャリアの背面に塗布する第３感圧接着剤層と結合する弾性プラスチック片層と、
弾性プラスチック片層の背面と結合する弾性樹脂接着剤層と、
を含む布フック構造。
【請求項２】
前記布片層の１つ以上の貫通溝は、１つ以上のフックの本体の背面の形状に対応し、該補助片のプラスチック片の１つ以上の貫通溝及び該プラスチック片の前面に塗布する第１感圧接着剤層の１つ以上の貫通溝及び該プラスチック片の背面に塗布する第２感圧接着剤層の１つ以上の貫通溝の形状は、フックの本体の背面の形状に対応し、該フックの本体に適当な厚さにより該プラスチック片の貫通溝、第１感圧接着層の貫通溝及び第２感圧接着剤層の貫通溝を通過させる請求項１に記載の布フック構造。
【請求項３】
前記１つ以上のフックの本体の前面は、更に小補助片を結合し、該小補助片の前面及び背面は、それぞれ第１小感圧接着剤層及び第２小感圧接着剤層を塗布し、該小補助片の背面に塗布する第２小感圧接着剤層により前記フックの本体の前面と結合し、該小補助片の前面に塗布する第１小感圧接着剤層により前記フックの本体の前面と結合し、前記第１小感圧接着剤層８２は小布片層９の背面と結合し、該小布片層の前面は、装飾パターン又は模様を有する請求項１に記載の布フック構造。
【請求項４】
前記布片層１の接合面１２は、更に、ホットメルト接着剤、アクリル接着剤又はシェラックを噴射又は塗布した後、補助片のプラスチック片の前面に塗布した第１感圧接着剤層と結合し、且つ該布片層は、天然繊維布又は人工繊維布である請求項１に記載の布フック構造。
【請求項５】
前記補助片は、ＰＶＣ (Polyvinyl Chloride)又はＰＥＴ(Polyethylene terephthalate)プラスチック片又はＰＥＴ（ＰＥＴ， Polyethylene terephthalate)プラスチック片である請求項１に記載の布フック構造。
【請求項６】
前記キャリアは、ＰＶＣ(Polyvinyl Chloride)プラスチック片、プラズマ処理を経たＰＥＴ(Polyethylene terephthalate)プラスチック片、アーク処理を経たＰＥＴ(Polyethylene terephthalate)プラスチック片、ポリプロピレン（ＰＰ， Polypropylene)合成紙片、金属膜で被覆したプラスチック片又は金属酸化物膜で被覆したプラスチック片である請求項１に記載の布フック構造。
【請求項７】
前記弾性プラスチック層６は、ＰＶＣ (Polyvinyl Chloride)プラスチック片、ＰＥＴ(Polyethylene terephthalate)プラスチック片、ポリプロピレン(PP, Polypropylene)プラスチック片、ＥＶＡ（ＥＶＡ， Ethylene vinyl accetate copolymer)プラスチック片、ポリプロピレン（ＰＰ， Polypropylene)合成紙片又はポリエチレン（ＰＥ， Polyethylene)プラスチック片である請求項１に記載の布フック構造。
【請求項８】
布片層であり、１つ以上の貫通溝を有し、１つ以上のフックの本体の背面を通過させ、該布片層の１つ以上の前面が自由面であり、装飾模様又は装飾パターンを有し、該布片層の背面は、接合面であり、補助片と結合する布片層と、
１つ以上のフックであり、本体の前面にフックさせるフック部を有し、その本体は、適当な厚さにより布片層の貫通溝及び補助片を通過した後、その本体の背面がコロイドによりキャリアと粘着固定する１つ以上のフックと、
補助片であり、ＰＶＣ又はＰＥＴプラスチック片及びそれぞれ該プラスチック片の前面及び背面に塗布する第１感圧接着剤、第２感圧接着剤層を含み、該プラスチック片及び該プラスチック片の前面及び背面の第１、第２感圧接着剤層は、それぞれ前記１つ以上のフック２の背面の１つ以上の貫通溝を有し、該接着剤片の前面に塗布する第１感圧接着剤により布片層の接合面と結合し、該プラスチック片の背面に塗布する第２感圧接着剤層によりキャリアと結合する補助片と、
キャリアであり、その前面、背面のうちの一面又はその前面及び背面の両面が化学的に活発なプラスチック片を有し、該キャリアの前面は、補助片の背面に塗布する第２感圧接着剤層と結合し、該キャリアの背面は、更に、第３感圧接着剤層を塗布し、弾性プラスチック片層と結合するキャリアと、
キャリアの背面に塗布される第３感圧接着剤層と、
弾性プラスチック片層であり、その前面及びキャリアの背面に塗布する第３感圧接着剤層と結合する弾性プラスチック片層と、
弾性プラスチック片層の背面と結合する置換可能アクリル接着剤層と、
を含む布フック構造。
【請求項９】
前記布片層の１つ以上の貫通溝は、１つ以上のフックの本体の背面の形状に対応し、該補助片のプラスチック片の１つ以上の貫通溝及び該プラスチック片の前面に塗布する第１感圧接着剤層の１つ以上の貫通溝及び該プラスチック片の背面に塗布する第２感圧接着剤層の１つ以上の貫通溝の形状は、フックの本体の背面の形状に対応し、該フックの本体に適当な厚さにより該プラスチック片の貫通溝、第１感圧接着層の貫通溝及び第２感圧接着剤層の貫通溝を通過させる請求項８に記載の布フック構造。
【請求項１０】
前記１つ以上のフックの本体の前面は、更に小補助片を結合し、該小補助片の前面及び背面は、それぞれ第１小感圧接着剤層及び第２小感圧接着剤層を塗布し、該小補助片の背面に塗布する第２小感圧接着剤層により前記フックの本体の前面と結合し、該小補助片の前面に塗布する第１小感圧接着剤層により前記フックの本体の前面と結合し、前記第１小感圧接着剤層８２は小布片層９の背面と結合し、該小布片層の前面は、装飾パターン又は模様を有する請求項８に記載の布フック構造。
【考案の詳細な説明】
【技術分野】
【０００１】
本考案は、布フック構造であり、特に、回数を制限することなく、如何なる位置にも繰り返し貼付でき、簡単に剥し、その他の必要な位置に変更することができ、布片層の装飾パターン又は模様によりフック機能及び美観装飾効果を兼ね備える布フック構造である。
【背景技術】
【０００２】
日常生活において、しばしばフックを使用し、鍵ホルダー、衣服、バッグ、文具、飾り物等の物品を掛け、良く見るフックは、所定の壁面等の必要な位置に固定する方式の１つとして、螺子、釘等の固定部材を利用し、壁面にフックを固定し、この種の固定方式の欠陥は、螺子又は釘が外部に露出し、美観に影響し、且つ螺子又は釘が壁面に打ち込まれ、壁面に永久的な釘孔を残し、損壊を招くことである。
【０００３】
次に、他の種の両面テープを利用し、壁面にフックを貼合する方式は、操作が簡便であるが、一旦、貼付固定した後に剥し、異なる貼付位置に変更する時、往々にして壁面の損壊又はテープの一部が壁面に残留する欠陥を生じ、更に、良く見るフックの上方にプリントするパターンも摩耗し易く、その美観及び装飾効果を大きく損なわせている。
【先行技術文献】
【特許文献】
【０００４】
【特許文献１】特開２００６−２９１４４０
【特許文献２】特開２０１１−８３３６６
【特許文献３】特開２０１１−４５４６９
【考案の概要】
【考案が解決しようとする課題】
【０００５】
本考案者は、これに鑑み、絶え間ない研究及び改良を経て、一種の布フック構造を考案設計している。
本考案の目的は、使用者の異なる要求に応じて随時剥し、貼付位置を変更することができる布フック構造を提供することにある。
本考案のもう１つの目的は、任意の所要位置に無限回数繰り返し貼付することができる布フック構造を提供することにある。
本考案の更にもう１つの目的は、貼付する時、壁紙が皺にならず、自身も粘着しない布フック構造を提供することにある。
【０００６】
本考案のまた更にもう１つの目的は、プリントパターン又は模様が磨耗せず、相対して美観及び装飾効果を確保することができる布フック構造を提供することにある。
本考案の更にもう１つの目的は、貼付後に壁面の水分又は湿気が布面に浸透することを防止し、防菌、防毒することができる布フック構造を提供することにある。
【０００７】
本考案のもう１つの目的は、貼付後に衝撃緩衝作用を有することができる布フック構造を提供することにある。
本考案の更にもう１つの目的は、各種日常用品又はその他の物品をフックすることに適用し、布片層に呈現される装飾模様又はプリントパターンが美観装飾効果を有することができる布フック構造を提供することにある。
【０００８】
本考案のまた更にもう１つの目的は、構造が簡単であり、各式布料に適し、自分の手で作成することができる（ＤＩＹ）布フック構造を提供することにある。
本考案のもう１つの目的は、壁面から剥す時に壁面を損傷せず、接着剤を壁面に残留させず、美観性に影響を及ぼさない布フック構造を提供することにある。
【課題を解決するための手段】
【０００９】
上記課題を解決するために、本考案の布フック構造は、布片層であり、１つ以上の貫通溝を有し、１つ以上のフックの本体の背面を通過させ、該布片層の１つ以上の前面が自由面であり、装飾模様又は装飾パターンを有し、該布片層の背面は、接合面であり、補助片と結合する布片層と、
１つ以上のフックであり、本体の前面にフックさせるフック部を有し、その本体は、適当な厚さにより布片層の貫通溝及び補助片を通過した後、その本体の背面がコロイドによりキャリアと粘着固定する１つ以上のフックと、
補助片であり、ＰＶＣ又はＰＥＴプラスチック片及びそれぞれ該プラスチック片の前面及び背面に塗布する第１感圧接着剤、第２感圧接着剤層を含み、該プラスチック片及び該プラスチック片の前面及び背面の第１、第２感圧接着剤層は、それぞれ前記１つ以上のフック２の背面の１つ以上の貫通溝を有し、該接着剤片の前面に塗布する第１感圧接着剤により布片層の接合面と結合し、該プラスチック片の背面に塗布する第２感圧接着剤層によりキャリアと結合する補助片と、
キャリアであり、その前面、背面のうちの一面又はその前面及び背面の両面が化学的に活発なプラスチック片を有し、該キャリアの前面は、補助片の背面に塗布する第２感圧接着剤層と結合し、該キャリアの背面は、更に、第３感圧接着剤層を塗布し、弾性プラスチック片層と結合するキャリアと、
キャリアの背面に塗布される第３感圧接着剤層と、
弾性プラスチック片層であり、その前面及びキャリアの背面に塗布する第３感圧接着剤層と結合する弾性プラスチック片層と、
弾性プラスチック片層の背面と結合する弾性樹脂接着剤層と、を含む。
【考案の効果】
【００１０】
上記のように、本考案は、以下の増進効果を有する：
１．使用者の異なる要求に応じて、随時剥して貼付位置を変更することができる。
２．無限回数任意の所要位置に繰り返し貼付することができる。
３．柔軟性を有し、貼付時壁紙を皺にせず、自身を粘着させない。
４．プリントパターン又は模様が摩耗せず、美観性及び装飾効果を確保することができる。
５．貼付後、壁面の水分又は湿気が布面に浸透することを防止し、防菌防毒することができる。
６．貼付後、衝撃緩衝作用を有する。
７．物理構造がフックに適用でき、鍋、カップ、フライパン、ハサミ等の各種日常用品又はその他の物品を載置でき、且つ布片層１により美観装飾効果を有することができる。
８．構造が簡単で、各式布料を適用でき、自分の手で作成できる（ＤＩＹ）。
９．壁面から剥す時、壁面を損傷せず、接着剤を残留させず、美観性に影響を及ぼさない。
【図面の簡単な説明】
【００１１】
【図１】本考案の第１実施例の立体分解図である。
【図２】本考案の第１実施例の立体図である。
【図３】本考案の第１実施例の使用状態部分組み合わせ断面拡大図である。
【図４】本考案の第２実施例の立体分解図である。
【考案を実施するための形態】
【００１２】
本考案の布フック構造の実施例を図面を参照して説明する。
図１〜図３に示すように、本考案の布フック構造は、以下を含むものである。
布片層１であり、それは、天然繊維布、例えば、綿布、麻布、綿麻混紡布又は動物繊維、シルク布、羊毛布等であり、テトロン布、ナイロン布、ポリエステル繊維又は人工繊維混紡布等の人工繊維布であることもでき、該布片層１は、１つ以上の貫通溝１０を有し、１つ以上のフック２の本体２１の背面２１２を通過させ、該布片層１の前面が自由面１１であり、プリント又は染色等の方式により様々な装飾模様（図示せず）又は装飾パターン１１１を有し、該布片層１の背面は、接合面１２であり、補助片３と結合する。
前記フックは、１つ以上のフック２であり、それは、本体２１の前面にフックさせるフック部２１１を有し、その本体２１は、適当な厚さにより布片層１の貫通溝１０及び補助片３を通過した後、その本体２１の背面２１２がラテックス又はその他のコロイドによりキャリア４と粘着固定する。
【００１３】
前記補助片３は、ＰＶＣ  (Polyvinyl Chloride)又はＰＥＴ(Polyethylene terephthalate)プラスチック片３１及びそれぞれ該プラスチック片３１の前面３１１（図３参照）及び背面３１２に塗布する第１感圧接着剤３２、第２感圧接着剤層３３を含み、該プラスチック片３１及び該プラスチック片３１の前面３１１及び背面３１２の第１、第２感圧接着剤層３２，３３は、それぞれ前記１つ以上のフック２の背面２１２の１つ以上の貫通溝３１０，３２０，３３０を有し、該接着剤片３１の前面３１１に塗布する第１感圧接着剤３２により布片層１の接合面１２と結合し、該プラスチック片３１の背面３１２に塗布する第２感圧接着剤層３３によりキャリア４と結合する。
【００１４】
前記キャリア４は、その前面４１、背面４２（図３参照）のうちの一面又はその前面４１及び背面４２の両面が化学的に活発なプラスチック片を有し、該キャリア４の前面４１は、補助片３の背面３１２に塗布する第２感圧接着剤層３３と結合し、該キャリア４の背面４２は、更に、第３感圧接着剤層５を塗布し、弾性プラスチック片層６と結合し、該キャリア４は、ＰＶＣ(Polyvinyl Chloride)プラスチック片、プラズマ又はアーク処理を経たＰＥＴ(Polyethylene terephthalate)プラスチック片、又はポリプロピレン(PP, Polypropylene)合成紙片、金属膜で被覆したプラスチック片又は金属酸化物膜で被覆したプラスチック片であることができる。
【００１５】
前記第３感圧接着剤層５は、キャリア４の背面４２に塗布される。
前記弾性プラスチック片層６は、前面６１及びキャリア４の背面４２に塗布する第３感圧接着剤層５と結合し、該弾性プラスチック層６は、ＰＶＣ(Polyvinyl Chloride)プラスチック片、ＰＥＴ(Polyethylene terephthalate)プラスチック片、ポリプロピレン（ＰＰ， Polypropylene)プラスチック片、ＥＶＡ（ＥＶＡ， Ethylene vinyl accetate copolymer)プラスチック片、ポリプロピレン（ＰＰ， Polypropylene)合成紙片又はポリエチレン（ＰＥ， Polyethylene)プラスチック片である。
【００１６】
前記弾性樹脂接着剤層又は置換可能アクリル接着剤層７は、弾性プラスチック片層６の背面６２と結合し、前記置換可能アクリル接着剤層は、置換可能アクリル接着剤（又は置換可能アクリルＲ接着剤と称する，略称Ｒ接着剤）である。
前記構成部材から構成されることにより、使用時、その弾性樹脂接着剤層又は置換可能アクリル接着剤層７により壁面７０（図３参照）等の任意の適当な部位に粘着することができ、フック２のフック部２１１を利用し、物品のフックを提供し、且つ布片層１の装飾パターン１１１又は模様により装飾効果を有する。
【００１７】
また、前記弾性樹脂接着剤層又は置換可能アクリル接着剤層７の背面は、離型薄膜層（図示せず）を更に貼合することができ、使用者が使用時に便利に先に該離型薄膜層を剥し、前記離型薄膜層は、プラスチック薄膜又は離型紙であることができる。
【００１８】
また、前記布片層１の１つ以上の貫通溝１０は、１つ以上のフック２の本体２１の背面２１２の形状に対応し、該補助片３のプラスチック片３１の１つ以上の貫通溝３１０及び該プラスチック片３１の前面３１１に塗布する第１感圧接着剤層３２の１つ以上の貫通溝３２０及び該プラスチック片３１の背面３１２に塗布する第２感圧接着剤層３３の１つ以上の貫通溝３３０の形状は、フック２の本体２１の背面２１２の形状に対応し、該フック２の本体２１に適当な厚さにより該プラスチック片３１の貫通溝３１０、第１感圧接着層３２の貫通溝３２０及び第２感圧接着剤層３３の貫通溝３３０を通過させる。
【００１９】
また、図３を参照して説明すると、前記１つ以上のフック２の本体２１の前面は、更に小補助片８１を結合し、該小補助片８１の前面及び背面は、それぞれ第１小感圧接着剤層８２及び第２小感圧接着剤層８３を塗布し、該小補助片８１の背面に塗布する第２小感圧接着剤層８３により前記フック２の本体２１の前面と結合し、該小補助片８１の前面に塗布する第１小感圧接着剤層８２により前記フック２の本体２１の前面と結合し、前記第１小感圧接着剤層８２は小布片層９の背面９２と結合し、該小布片層９の前面は、プリント又は染色方式により装飾パターン９１(図１参照)又は模様（図示せず）を有し、該装飾パターン９１又は模様は、前記布片層１の装飾パターン１１１又は模様に合わせ、より完全な装飾効果を有することができる。
【００２０】
また、前記布片層１の接合面１２は、ホットメルト接着剤、アクリル接着剤又はシェラックを噴射又は塗布した後、補助片３のプラスチック片３１の前面３１１に塗布した第１感圧接着剤層３２と結合する。
【００２１】
更に、図４を参照して説明すると、それは、本考案の第２実施例であり、前記第１実施例との僅かな差異は、第２実施例のフック２’がただ１つであり、且つ布片層１’、補助片３’のプラスチック片３１’、第１感圧接着剤層３２’、第２感圧接着剤層３３’、キャリア４’、第３感圧接着剤層５’、弾性プラスチック片層６’、弾性樹脂接着剤層又は置換可能アクリル接着剤層７’及び小布片層９’の形状が異なることにあり、また、布片層１’の装飾パターン１１１’も異なり、本第２実施例の主要な技術内容は、前記第１実施例と同一であるので、ここでは、再度記載しない。
【００２２】
上記のように、本考案は、以下の増進効果を有する：
１．使用者の異なる要求に応じて、随時剥して貼付位置を変更することができる。
２．無限回数任意の所要位置に繰り返し貼付することができる。
３．柔軟性を有し、貼付時壁紙を皺にせず、自身を粘着させない。
４．プリントパターン又は模様が摩耗せず、美観性及び装飾効果を確保することができる。
５．貼付後、壁面の水分又は湿気が布面に浸透することを防止し、防菌防毒することができる。
６．貼付後、衝撃緩衝作用を有する。
７．物理構造がフックに適用でき、鍋、カップ、フライパン、ハサミ等の各種日常用品又はその他の物品を載置でき、且つ布片層により美観装飾効果を有することができる。
８．構造が簡単で、各式布料を適用でき、自分の手で作成できる（ＤＩＹ）。
９．壁面から剥す時、壁面を損傷せず、接着剤を残留させず、美観性に影響を及ぼさない。
【符号の説明】
【００２３】
１  ，１’  布片層
１０，３１０，３２０，３３０  貫通溝
１１  自由面
１１１，１１１’,９１  装飾パターン
１２  接合面
２，２’  フック
２１  本体
２１１  フック部
２１２，３１２，４２，６２，９２  背面
３，３’  補助片
３１，３１’  プラスチック片
３１１，４１，６１  前面
３２，３２’  第１感圧接着剤層
３３，３３’  第２感圧接着剤層
４，４’  キャリア
５，５’  第３感圧接着剤層
６，６’  弾性プラスチック片層
７０  壁面
７，７’  弾性樹脂接着剤層又は置換可能アクリル接着剤層
８１  小補助片
８２  第１小感圧接着剤層
８３  第２小感圧接着剤層
９，９’  小布片層
【図１】
0003175252.tif 000003
【図２】
0003175252.tif 000004
【図３】
0003175252.tif 000005
【図４】
0003175252.tif 000006